(57)【要約】      （修正有）【課題】スプーン等の食器が予め収納された収納部を有する食品用包装筒を提供する。【解決手段】食品を包囲するための筒体状の周壁部と、周壁部と一体であると共に周壁部の一側縁から内側に折り曲げられた舌部２１、２２と、を備え、舌部２１、２２と周壁部の内側の一部とは、平坦な平面状の収納領域を構成する食品用包装筒である。【選択図】図２
2007137508.tif 000002
【特許請求の範囲】
【請求項１】
食品を包囲するための筒体状の周壁部と、
前記周壁部と一体であると共に前記周壁部の一側縁から内側に折り曲げられた舌部と、
を備え、
前記舌部と前記周壁部の内側の一部とは、平坦な平面状の収納領域を構成する
ことを特徴とする食品用包装筒。
【請求項２】
食品を包囲するための筒体状の周壁部と、
前記周壁部と一体であると共に前記周壁部の一側縁から内側に折り曲げられた第一舌部と、
前記周壁部と一体であると共に前記周壁部の他側縁から内側に折り曲げられた第二舌部と、
を備え、
前記第一舌部及び前記第二舌部は、前記周壁部の周方向において同じ位置に設けられており、
前記第一舌部及び前記第二舌部と前記周壁部の内側の一部とは、平坦な平面状の収納領域を構成する
ことを特徴とする食品用包装筒。
【請求項３】
前記第一舌部及び前記第二舌部は、部分的に重なるようになっている
ことを特徴とする請求項２に記載の食品用包装筒。
【請求項４】
前記収納領域を構成する前記周壁部の一部内に、当該周壁部を切断させるための切断補助切り込み線が設けられている
ことを特徴とする請求項１乃至３のいずれかに記載の食品用包装筒。
【請求項５】
前記収納領域には、平たく形成されたスプーンまたはフォークが収納されている
ことを特徴とする請求項１乃至４のいずれかに記載の食品用包装筒。
【発明の詳細な説明】
【技術分野】
【０００１】
本発明は、スプーン等の食器等を収納するための収納部を有する食品用包装筒に関するものである。
【背景技術】
【０００２】
ゼリーやアイスクリーム等の食品は、通常、スプーンを使用して食される。これらの食品を販売するにあたっては、購入者が別途にスプーンを用意しなくてもよいように、販売者が購買者にサービスで（無料で）使い捨てのスプーンを提供するということが一般に行われている。
【発明の開示】
【発明が解決しようとする課題】
【０００３】
しかしながら、販売者にとって、購入された商品に合わせて使い捨てのスプーンをその都度提供するという行為は、面倒なものである。
【０００４】
本発明は、以上のような事情に鑑みてなされたもので、スプーン等の食器を予め収納することができる収納部を有する食品用包装筒を提供することを目的とする。
【課題を解決するための手段】
【０００５】
本発明は、食品を包囲するための筒体状の周壁部と、前記周壁部と一体であると共に前記周壁部の一側縁から内側に折り曲げられた舌部と、を備え、前記舌部と前記周壁部の内側の一部とは、平坦な平面状の収納領域を構成することを特徴とする食品用包装筒である。
【０００６】
本発明によれば、極めて簡易な構造体でありながら、平たく形成されたスプーンやフォーク等の食器を収納領域に予め収納させておくことができるため、これらの食器を食品に対して容易かつ確実に付随させることができる。これにより、販売者が食品を販売する際にスプーン等の食器を別途提供する手間を排除することができる。
【０００７】
あるいは、本発明は、食品を包囲するための筒体状の周壁部と、前記周壁部と一体であると共に前記周壁部の一側縁から内側に折り曲げられた第一舌部と、前記周壁部と一体であると共に前記周壁部の他側縁から内側に折り曲げられた第二舌部と、を備え、前記第一舌部及び前記第二舌部は、前記周壁部の周方向において同じ位置に設けられており、前記第一舌部及び前記第二舌部と前記周壁部の内側の一部とは、平坦な平面状の収納領域を構成することを特徴とする食品用包装筒である。
【０００８】
本発明によっても、極めて簡易な構造体でありながら、平たく形成されたスプーンやフォーク等の食器を収納領域に予め収納させておくことができるため、これらの食器を食品に対して容易かつ確実に付随させることができる。特に、第一舌部と第二舌部とが周壁部の周方向において同じ位置に設けられているため、スプーン等の食器の両端部をより一層確実に保持することができる。この場合、第一舌部と第二舌部とが部分的に重なるようになっていることが更に好ましい。
【０００９】
また、以上の本発明において、収納領域を構成する周壁部の一部内に当該周壁部を切断させるための切断補助切り込み線が設けられていることが好ましい。この場合、食品を取り出すために当該切断補助切り込み線を用いて周壁部が切断された際に、同時に収納領域の内部が露出されるため、スプーン等の食器を極めて容易に取り出すことができる。
【発明を実施するための最良の形態】
【００１０】
次に、図１乃至図３を用いて、本発明の一実施の形態の食品用包装筒１００について説明する。
【００１１】
図１は、食品であるゼリーが収納されたゼリーカップ２００を包装する食品用包装筒１００の正面側斜視図である。図２は、上面１２の一部を切り欠いた食品用包装筒１００の後面側斜視図である。図３は、食品用包装筒１００の展開図である。
【００１２】
図１乃至図３に示すように、食品用包装筒１００は、ゼリーカップ２００を包囲するための周壁部１０を備えている。周壁部１０は、直方体状の筒体で、一対の略正方形状の上面１２及び底面１４と一対の長方形状の前面１１及び後面１３とからなっている。底面１４は、底面部材１４ａと底面部材１４ｂとが接着されて構成されている。
【００１３】
前面１１には、当該前面１１と一体に、当該前面１１の右端側から内側に折り曲げられた第一舌部２１が設けられている。同様に、前面１１には、当該前面１１と一体に、当該前面１１の左端側から内側に折り曲げられた第二舌部２２が設けられている。そして、これら第一舌部２１及び第二舌部２２と前面１１とによって、平坦な平面状の収納領域３０が形成されている。本実施の形態では、平たく形成されたスプーンが保護袋に入れられた状態で収納領域３０に収納されている。保護袋は、スプーンを汚れ等から保護するものであるが、図示は省略されている。
【００１４】
本実施の形態では、図１及び図２に示すように、第一舌部２１と第二舌部２２とは部分的に重なるようになっている。
【００１５】
また、本実施の形態では、収納領域３０を構成する前面１１において、周壁部１０を切断させるための切断補助切り込み線４０が設けられている。切断補助切り込み線４０は、この場合、前面１１と上面１２との境界線（折れ線）の右端部から左端部に向けて延びる円弧状に形成されており、中央部分には小円状の切り込み線４１も設けられている。
【００１６】
以上のような本実施の形態によれば、極めて簡易な構造体でありながら、平たく形成されたスプーンやフォーク等の食器を収納領域３０に予め収納させておくことができるため、これらの食器をゼリーカップ２００に対して容易かつ確実に付随させることができる。
【００１７】
特に、第一舌部２１と第二舌部２２とが周壁部１０の周方向において同じ位置に設けられているため、スプーン等の食器の両端部をより一層確実に保持することができる。
【００１８】
更に、第一舌部２１と第二舌部２２とが部分的に重なるようになっているために、スプーン等の食器をより一層確実に保持することができる。
【００１９】
また、本実施の形態では、ゼリーカップ２００を取り出すために切断補助切り込み線４０を用いて周壁部１０が切断される際に、同時に収納領域３０の内部が露出されるため、スプーン等の食器を極めて容易に取り出すことができる。また、その際の美観に優れる。なお、小円状の切り込み線４１は、それが押し開けられることによって、切断補助切り込み線４０によって周壁部１０を切断する作業を容易にする。
【００２０】
なお、収納領域３０には、スプーンの代わりに平たく形成されたフォーク等も収納され得る。ここで、「平たく形成された」という形状は、食品用包装筒の周壁部と当該周壁部が包囲する食品とによって確実に保持されるに足る形状を意味する。例えば、柄の部分が無視できない大きさの直径を有する円筒形状であるようなスプーン等は、食品用包装筒の周壁部と当該周壁部が包囲する食品とによって確実に保持することが難しいため、そのような形状は「平たく形成された」という形状には含まれない。
【００２１】
食品としては、ゼリーカップ２００の他、アイスクリームカップや、カップ麺、スープ缶、豆缶など、形状が不変のものであれば何ら限定されない。形状が可変のものであっても（ゲル状のドリンク等）、その可変の程度が小さいものであれば、本発明の適用が可能である。食品用包装筒１００の各外側面には、それが包装する食品の内容等が表示されることが一般的である。
【００２２】
なお、収納領域３０には、購買者への平面状の「おまけ」（シール等）や、広告が記載された紙片等も収納することができる。
【００２３】
図４は、本発明の他の実施の形態の食品用包装筒１００’の展開図である。本実施の形態では、前面の代わりに、底面１４に、当該底面１４と一体に、当該底面１４の右端側から内側に折り曲げられる第一舌部２１’が設けられている。同様に、底面１４には、当該底面１４と一体に、当該底面１４の左端側から内側に折り曲げられる第二舌部２２’が設けられている。そして、これら第一舌部２１’及び第二舌部２２’と底面１２（の一部）とによって、平坦な平面状の収納領域が形成されるようになっている。このような実施の形態でも、平たく形成されたスプーンやフォーク等の食器を収納領域に予め収納させておくことにより、これらの食器をゼリーカップ２００等の食品に対して容易かつ確実に付随させることができる。
【００２４】
図５は、本発明の更に他の実施の形態の食品用包装筒１００”の展開図である。本実施の形態では、前面乃至底面の代わりに、後面１３に、当該後面１３と一体に、当該後面１３の右端側から内側に折り曲げられる第一舌部２１”が設けられている。同様に、後面１３には、当該後面１３と一体に、当該後面１３の左端側から内側に折り曲げられる第二舌部２２”が設けられている。そして、これら第一舌部２１”及び第二舌部２２”と後面１３とによって、平坦な平面状の収納領域が形成されるようになっている。このような実施の形態でも、平たく形成されたスプーンやフォーク等の食器を収納領域に予め収納させておくことにより、これらの食器をゼリーカップ２００等の食品に対して容易かつ確実に付随させることができる。
【図面の簡単な説明】
【００２５】
【図１】本発明の一実施の形態の食品用包装筒を示す正面側斜視図。
【図２】上面の一部を切り欠いた図１の食品用包装筒の後面側斜視図。
【図３】図１の食品用包装筒の展開図。
【図４】本発明の他の実施の形態の食品用包装筒を示す展開図。
【図５】本発明の更に他の実施の形態の食品用包装筒を示す展開図。
【符号の説明】
【００２６】
１０  周壁部
１１  前面
１２  上面
１３  後面
１４  底面
１４ａ、１４ｂ  底面部材
２１、２１’、２１”  第一舌部
２２、２２’、２２”  第二舌部
３０  収納領域
４０  切断補助切り込み線
４１  小円状の切り込み線
２００  ゼリーカップ
【図１】
2007137508.tif 000003
【図２】
2007137508.tif 000004
【図３】
2007137508.tif 000005
【図４】
2007137508.tif 000006
【図５】
2007137508.tif 000007